(57)【要約】      （修正有）【課題】据え付け作業者が快適に据え付け作業を行うことを可能とする、安価な家電据え付け用治具を提供する。【解決手段】室内機や洗濯機等の家電を据え付ける際に用いられる家電据え付け用治具１は、直角部と傾斜面とを有する台形形状の本体１０を備えており、本体１０は、一枚の鋼板１２の両方の端部１２Ａを重複させた部分に両方の端部１２Ａを接合するビス止め部１６を有しており、表面全体が樹脂コーティング１４により覆われている。【選択図】図３
0003214120.tif 000002
【実用新案登録請求の範囲】
【請求項１】
家電を据え付ける際に用いられる家電据え付け用治具であって、
直角部と傾斜面とを有する台形形状の本体を備えており、
前記本体は、一枚の金属板の両端部を重複させた部分に前記両端部を接合する止め部を有しており、表面全体が樹脂によりコーティングされている
ことを特徴とする家電据え付け用治具。
【請求項２】
請求項１に記載の家電据え付け用治具において、
前記本体の前記傾斜面に対向する面に磁石を更に備えている
ことを特徴とする家電据え付け用治具。
【請求項３】
請求項１または請求項２に記載の家電据え付け用治具において、
前記樹脂は、据え付け対象の家電とは異なる色となっている
ことを特徴とする家電据え付け用治具。
【請求項４】
請求項１乃至３の何れか１項に記載の家電据え付け用治具において、
前記金属板は冷間圧延鋼板である
ことを特徴とする家電据え付け用治具。
【請求項５】
請求項２に記載の家電据え付け用治具において、
前記磁石はボンド磁石である
ことを特徴とする家電据え付け用治具。
【考案の詳細な説明】
【技術分野】
【０００１】
本考案は、家電、特に白物家電を据え付ける際に好適に用いられる家電据え付け用治具に関する。
【背景技術】
【０００２】
既設の室内機、又は新設の室内機の何れに対しても、室内機の配管工事が確実かつスムーズに行えること、又は既設の室内機の配管工事が確実かつスムーズに行えること等を目的として、特許文献１には、直角部と傾斜部を一部に備えた略台形状のスペーサ本体と、スペーサ本体の直角部の垂直面に設けた磁石と、傾斜部に設けた緩衝材と、傾斜部の一部に設けた垂直面とでなる室内機取り付け用のスペーサが記載されている。
【先行技術文献】
【特許文献】
【０００３】
【特許文献１】特開２００３−９０５６１号公報
【考案の概要】
【考案が解決しようとする課題】
【０００４】
上述した特許文献１に記載のスペーサは略台形形状の本体をどのように形成しているか不明であるが、通常は、複数の鋼板を溶接して形成されたか、押出成形等によって一体形成されたものとなる。
【０００５】
しかし、複数の鋼板を溶接して形成された場合であっても、一体形成された場合であっても、その製造に要する工数が多く、製造コストが高い、との課題がある。例えば、溶接によって形成されたものである場合、主部材板が複数となり、製造コストが高くなる、との課題がある。
【０００６】
また、特許文献１に記載のスペーサでは、据え付け作業時に、スペーサの角部が手のひらに当たることから、据え付け作業者に対して不快感が生じる恐れがある、との課題がある。
【０００７】
本考案は、上述のような課題に鑑みなされたものであって、据え付け作業者が快適に据え付け作業を行うことを可能とする、安価な家電据え付け用治具を提供することを目的とする。
【課題を解決するための手段】
【０００８】
本考案は、上記課題を解決する手段を複数含んでいるが、その一例を挙げるならば、家電を据え付ける際に用いられる家電据え付け用治具であって、直角部と傾斜面とを有する台形形状の本体を備えており、前記本体は、一枚の金属板の両端部を重複させた部分に前記両端部を接合する止め部を有しており、表面全体が樹脂によりコーティングされていることを特徴とする。
【考案の効果】
【０００９】
本考案によれば、据え付け作業者が快適に据え付け作業を行うことを可能とする、安価な家電据え付け用治具が提供される。上記した以外の課題、構成および効果は、以下の実施例の説明により明らかにされる。
【図面の簡単な説明】
【００１０】
【図１】本考案の家電据え付け用治具の外観図である。
【図２】本考案の家電据え付け用治具の側面図である。
【図３】本考案の家電据え付け用治具の側面断面図である。
【図４】図２のＡ−Ａ’断面図である。
【図５】本考案の家電据え付け用治具の使用状態の一例を示す図である。
【図６】本考案の家電据え付け用治具の使用状態の一例を示す図である。
【図７】本考案の家電据え付け用治具の作製方法の流れを説明する図である。
【考案を実施するための形態】
【００１１】
本考案の家電据え付け用治具の実施例について図１乃至図７を用いて説明する。
【００１２】
最初に、本考案の家電据え付け用治具の全体構成について図１乃至図４を用いて説明する。図１は本考案の家電据え付け用治具の外観図である。図２は家電据え付け用治具の側面図である。図３は家電据え付け用治具の側面断面図である。図４は図２のＡ−Ａ’断面図である。
【００１３】
図１において、家電据え付け用治具１は、本体１０、および磁石２０から構成される。この家電据え付け用治具１は、家電製品、特には、エアコンの室内機１００（図５参照）や洗濯機３００（図６参照）等の白物家電を設置する際に配管やホースを配置するときに好適に使用される治具である。
【００１４】
本体１０は、図２に示すように、傾斜面３０、上面３２、長側面３４、底面３６、短側面３８との５つの辺から構成され、長側面３４と底面３６との間に直角部４０を有する、台形形状の構造となっている。
【００１５】
この本体１０は、図３および図４に示すように、帯状の一枚の鋼板１２が台形形状に折り曲げられ、両方の端部１２Ａが重ね合わせられた後にビス止め部１６で両方の端部１２Ａが接合されている。なお、ビス止め部１６は、ビス以外にリベット等を用いることができる。
【００１６】
また、そのビス止め部１６を含めて、軟質性樹脂が全体に渡ってコーティングされており、全体が樹脂コーティング１４によって覆われていることによって鋼板１２の端部の角部が丸み形状に成形されている。
【００１７】
本体１０を構成する一枚の鋼板１２は冷間圧延鋼板が用いられているが、必ずしも冷間圧延鋼板である必要はなく、様々な種類の金属板とすることができる。
【００１８】
樹脂コーティング１４は、適度な柔らかさを有する樹脂からなり、その組成は特に限定されず、柔軟性を有する様々な公知の樹脂材とすることができる。また、その外観の色は据え付け対象の家電とは異なる色であり、例えば白以外の色とする。
【００１９】
磁石２０は、図２や図３に示すように、本体１０の傾斜面３０に対向する長側面３４に設けられている。この磁石２０は緩衝効果を付与することを目的としてボンド磁石からなるものとする。なお磁石２０は必ずしもボンド磁石である必要はなく、例えば、金属を永久磁石化させた硬質性磁石からなるものとすることができる。
【００２０】
次いで、本考案の家電据え付け用治具１の使用状態の一例について図５および図６を用いて説明する。図５および図６は家電据え付け用治具の使用状態の一例を示す図である。
【００２１】
図５に示すように、エアコンの室内機１００を部屋の壁面に設置する場合、室内機１００にピンを介して取り付けられた取り付けパネル１２０をビス等の固定治具を用いて内壁２００に取り付ける。
【００２２】
その後、室内機１００を斜め上方に回動して室内機１００と取り付けパネル１２０との間にクサビ状の空間を設け、本考案の家電据え付け用治具１の磁石２０の面を取り付けパネル１２０の金属面に取り付ける。
【００２３】
このあと、室内機１００を本考案の家電据え付け用治具１に当接する位置まで下方におろす。
【００２４】
この際、本考案の家電据え付け用治具１により、室内機１００の背面と取り付けパネル１２０との間には空間が得られるので、この空間を利用して所定のホースを取り回す作業を行うことが可能である。
【００２５】
ホースを室内機１００の背面内部の空間に敷設した後は本考案の家電据え付け用治具１を取り去り、室内機１００の背面を取り付けパネル１２０に合わせて、取り付け工事が完了する。
【００２６】
このようにして、室内機１００へのホース取り回し工事を効率よく行うことができる。
【００２７】
また、図６に示すように、洗濯機３００をシンク４００に設置する場合も、考案の家電据え付け用治具１を洗濯機３００の底面の片隅に設ける。その後、洗濯機３００を本考案の家電据え付け用治具１に当接する位置まで下方におろす。
【００２８】
この際、本考案の家電据え付け用治具１により洗濯機３００とシンク４００との間に空間が確保されることから、排水ホースを取り回す作業を容易に行うことができる。
【００２９】
次に、本実施例に係る本考案の家電据え付け用治具１の好適な作製方法の手順について図７を参照して説明する。図７は家電据え付け用治具の作製方法の流れを説明する図である。
【００３０】
まず、金属板を切断し、帯状の鋼板１２を作製する（ステップＳ１００）。
【００３１】
次いで、作製した帯状の鋼板１２の両方の端部１２Ａにビスを挿入するための穴を開ける穴開け加工を行う（ステップＳ１１０）。
【００３２】
次いで、帯状の鋼板１２を台形状に折り曲げる曲げ加工を行う（ステップＳ１２０）。この際、先のステップＳ１１０において開けた穴が一致するように両方の端部１２Ａを重ね合せる。
【００３３】
次いで、先のステップＳ１２０で一致させた穴にビスやリベット等を圧入し、カシメ接合する（ステップＳ１３０）。
【００３４】
その後、軟質性樹脂を全体に渡ってコーティングして、鋼板１２の端部の角部を丸み形状に成形する（ステップＳ１４０）。
【００３５】
最後に、樹脂コーティング後の本体１０の長側面３４に磁石２０を接着する（ステップＳ１５０）。
【００３６】
以上の工程により本考案の家電据え付け用治具１は好適に作製される。
【００３７】
次に、本実施例の効果について説明する。
【００３８】
上述した本実施例の室内機１００や洗濯機３００等の家電を据え付ける際に用いられる家電据え付け用治具１は、直角部４０と傾斜面３０とを有する台形形状の本体１０を備えており、本体１０は、一枚の鋼板１２の両方の端部１２Ａを重複させた部分に両方の端部１２Ａを接合するビス止め部１６を有しており、表面全体が樹脂コーティング１４により覆われているものである。
【００３９】
このように全体が樹脂コーティング１４に覆われているため、家電据え付け用治具１を据え付け作業者が手で保持したときに、金属板の角部が直接手に当たらないので、手への感触が良く、据え付け作業者に対して不快感が生じる恐れがない。また、室内機１００や取り付けパネル１２０、洗濯機３００、シンク４００等の治具に当接する家電等に傷が付くことなく据え付け工事が行えるようになる。このため、据え付け作業によって家電等に不都合が生じることを抑制することができ、据え付け作業の依頼主の満足度の向上を図ることができる、との効果も奏する。更に、一枚の鋼板１２から製造されたものであることから、主部材板は実質上一つであり、製造コストが高くなることもないことから、安価な治具となっている。
【００４０】
また、本体１０の傾斜面３０に対向する長側面３４に磁石２０を更に備えているため、例えば図５に示すようにエアコンの室内機１００の据え付け作業をする際に、金属製の取り付けパネル１２０に家電据え付け用治具１を密着させることができ、家電据え付け用治具１が落下することを防止することができる。このため、より容易に室内機１００の背面と取り付けパネル１２０との間に空間を確保することができる、との効果が得られる。
【００４１】
更に、樹脂コーティング１４は、据え付け対象の室内機１００や洗濯機３００とは異なる色となっていることで、家電据え付け用治具１の存在を容易に把握することができ、据え付け作業者の作業効率をより向上させることができる。
【００４２】
また、鋼板１２はプレス成形性や表面平滑性に優れた冷間圧延鋼板であることにより、安価な治具が得られる。
【００４３】
更に、磁石２０がボンド磁石であることで、磁石２０が設けられている場合においても、室内機１００や取り付けパネル１２０、洗濯機３００、シンク４００等の治具に当接する家電等に傷を付けることなく据え付け工事が行えるようになる。
【００４４】
＜その他＞  
なお、本考案は上記の実施例に限られず、種々の変形、応用が可能なものである。上述した実施例は本考案を分かりやすく説明するために詳細に説明したものであり、必ずしも説明した全ての構成を備えるものに限定されない。
【００４５】
例えば、上述の実施例では、磁石２０が軟質性の樹脂によってコーティングされていない場合について説明したが、磁石２０についても軟質性の樹脂によってコーティングされたものとすることができる。
【符号の説明】
【００４６】
１…家電据え付け用治具
１０…本体
１２…鋼板（金属板）
１２Ａ…端部
１４…樹脂コーティング
１６…ビス止め部
２０…磁石
３０…傾斜面
３２…上面
３４…長側面
３６…底面
３８…短側面
４０…直角部
１００…室内機（家電）
１２０…取り付けパネル
２００…内壁
３００…洗濯機（家電）
４００…シンク
【図１】
0003214120.tif 000003
【図２】
0003214120.tif 000004
【図３】
0003214120.tif 000005
【図４】
0003214120.tif 000006
【図５】
0003214120.tif 000007
【図６】
0003214120.tif 000008
【図７】
0003214120.tif 000009